(57)【特許請求の範囲】
【請求項１】
航空機収納区画から延びる収納可能な椅子であって、
前記収納区画内に存在する固定ボックスと、
前記収納可能な椅子を前記収納区画の中及び外に水平に移動させるために、前記固定ボックスに接続されたスレッドと、
前記スレッドに取り付けられた椅子であって、背もたれ及び座部を備える椅子と、を備え、
前記椅子の座部は、中央パネルと、左パネルと、右パネルとを備え、前記左パネル及び右パネルは、第１及び第２ヒンジによって、前記中央パネルにそれぞれ接続されて、前記左パネル及び右パネルが前記第１及び第２ヒンジの周りを少なくとも９０度回転することを可能にし、
前記椅子の背もたれは、中央カラムと、左カラムと、右カラムとを備え、前記左カラム及び右カラムは、第３及び第４ヒンジによって、前記中央カラムにそれぞれ接続されて、前記左カラム及び右カラムが前記第３及び第４ヒンジの周りを少なくとも９０度回転することを可能にする、
収納可能な椅子。
【請求項２】
前記スレッドは、前記椅子が前記収納区画から現れる際に、前記椅子を持ち上げる垂直リフトを備える、請求項１に記載の収納可能な椅子。
【請求項３】
前記収容可能な椅子が使われていない時は、前記区画の内部に前記収納可能な椅子を係止する解除可能係止機構をさらに備える、請求項１に記載の収納可能な椅子。
【請求項４】
前記椅子を単一の動作で折り畳む解除可能なラッチをさらに備える、請求項１に記載の収納可能な椅子。
【請求項５】
垂直スライドに接続された解除ケーブルであって、前記垂直スライドから前記椅子の係止を解錠する解除ケーブルをさらに備える、請求項１に記載の収納可能な椅子。
【請求項６】
前記椅子の座部を前記スレッドに接続する安定化ロッドをさらに備える、請求項１に記載の収納可能な椅子。
【請求項７】
前記固定ボックスを前記スレッドの上部に接続する延長可能なコネクタをさらに備える、請求項１に記載の収納可能な椅子。
【請求項８】
前記スレッドは、Ａ字型トラス構造を備える、請求項１に記載の収納可能な椅子。
【発明の詳細な説明】
【技術分野】
【０００１】
関連出願の相互参照
本出願は、２０１３年３月８日に出願された米国仮特許出願第６１／７７５，１８０号、及び、２０１４年３月５日に出願された米国非仮特許出願第１４／１９８，１３９号の優先権を主張し、それらの内容を参照により組み込む。
【背景技術】
【０００２】
あらゆる航空機において、効率性及び経済性は重要な要素であり、特に、小型の民間航空機においては、重要な要素である。一通路型の民間航空機では、大型航空機と比較して、座席を１列追加することによる利益性の割合が高いため、特に、収容可能な座席数に関して切迫している。しかし、これらの小型航空機の間取り図は、他の制約によって一般的に固定されており、それにより、利用可能な座席数は限られている。座席を追加可能な配置であれば、どんな配置でも、結果として利益性の機会に結びつく重大な進歩となる。
【０００３】
一通路型の航空機の大半は、図１に示すような後部化粧室及びギャレー配置を有する。この配置において、第１及び第２化粧室１５、１７は、航空機１０の中央通路２１の両側の後部ドア１１、１３の前に配置されており、乗客の座席１９の最終列の後ろに位置する。さらに、完全なギャレー２０が、後部ドア１１、１３の後部であって、航空機圧力ドーム３０の前に位置している。ギャレー２０は、一般的に、客室の最後部分の全幅に亘って延び、ギャレーカート、収納ユニット、オーブン、飲料メーカーなどを備える。
【０００４】
今日の民間航空業界において、航空会社は、乗客が利用可能な座席数を最大化するような客室配置を好む。残念ながら、航空機の座席数を増加させると、化粧室や食事サービスのギャレーに利用可能な空間を削減してしまう。従って、図１に示すような一通路型の航空機の後部において、乗客の座席を少なくとも１列追加できる空間を提供し、乗客への満足のいくレベルの食事サービスの提供を支援することができるギャレーを提供する、高度な乗客ソリューション（「ＨＰＳ」）が求められている。さらに、身体の不自由な方（ＰＲＭ）が入ることができる少なくとも１つの化粧室、及び、少なくとも１席の客室乗務員用の座席（ＣＡＳ）を備えるようなＨＰＳが求められている。
【０００５】
米国仮特許出願第６１／７６３，２８４号は、高度な乗客ソリューションの要求を満たす、航空機の小型航空機ギャレー及び化粧室配置を開示する。この配置では、ギャレーや他の構成要素の性能または機能を犠牲にすることなく、座席がもう一列追加される。しかし、ギャレー及び新たな座席の列を構成するために、客室乗務員用の座席の新しい設計が必要となる。本発明は、使用されていない時は、壁の中に後退し、折り畳まれた構成から展開される客室乗務員用の座席であって、小さな収納区画に座席を収納できる新しい客室乗務員用の座席に関する。
【発明の概要】
【課題を解決するための手段】
【０００６】
本発明は、使用されていない時は、狭い区画に収納可能な航空機の客室乗務員用の座席である。当該座席は、スレッド上を収納区画から滑り出て、完全な乗務員用の座席になるように展開される。
【図面の簡単な説明】
【０００７】
【図１】従来の一通路型航空機の平面図である。
【図２】座席を１列追加したギャレーの高度な乗客ソリューション構成の平面図である。
【図３】図２の実施形態において後方を見た拡大正面図である。
【図４】周辺構造を影にして乗務員用の座席区画の後方を見た斜視図である。
【図５】乗務員用の座席が乗務員用の座席区画から延びている斜視図である。
【図６】乗務員用の座席が適切な位置に持ち上げられている斜視図である。
【図７】客室乗務員用の座席が完全に展開された切り取り図である。
【図８】客室乗務員用の座席及び区画の外のスレッド（ｓｌｅｄ）の立面斜視図である。
【図９】客室乗務員用の座席の立面斜視図である。
【図１０】座席の立面斜視図である。
【図１１】固定ボックスの拡大立面斜視図である。
【図１２】水平スライド上のスレッド及び座席アセンブリの側面図である。
【発明を実施するための形態】
【０００８】
上述した要求を満たす本発明に係るＨＰＳの好適な実施形態を、図２及び図３に示す。図２に示すように、本配置では、一通路型の航空機１００において、後部ドア１１、１３と、以前最終列だった座席１１９との間に、追加された列の乗客用の座席１３０が位置する。さらに、化粧室／ギャレーの組み合わされた配置１２０が後部ドア１１、１３の後部に位置し、少なくとも部分的に後方に延び、航空機の圧力ドーム１３０内に入り込んでいる。図２及び図３に示す配置において、化粧室／ギャレー配置１２０は、片側にギャレー部分１１０、反対側に、１組の前方を向いた化粧室１４０、１５０を備える。各化粧室１４０、１５０は、ドア１４１、１５１を備える。ギャレー部分１１０は、複数の標準的な収納ユニットの収納１１７、複数のギャレーカートまたは台車の収納１１３、少なくとも１つのゴミ用台車１１２、流し台１１９、及び、オーブン１１５及び湯沸かし器１１８を含む複数の食事サービス挿入口を備える。電気パネル１１４も、設けられる。さらに、ギャレーは、ギャレーのゴミ廃棄ユニット（ＧＷＤＵ）１１１を備える。
【０００９】
図３に示すように、客室乗務員用の座席（ＣＡＳ）収納区画１６０は、ギャレー部分１１０と機内化粧室１４０との間に設けることができる。図４から図７は、客室乗務員用の座席１６１の引き出し及び展開を示す。図４は、区画１６０に完全に収納された客室乗務員用の座席１６１を示す。客室乗務員用の座席収納区画１６０内には、区画１６０内を水平に摺動可能な三角形のスレッド（ｓｌｅｄ）２００がある。重りのついた固定ボックス１８０は、スレッド２００及び座席アセンブリ１６１を固定し、スレッドが区画１６０を越えて延びすぎてしまうことを防止する。客室乗務員用の座席１６１は、折り畳み式の背もたれ１９０及び折り畳み式の座部１９５から成り、背もたれ１９０と座部１９５の両方が、折り畳むために一対のヒンジに沿って折り畳まれ、それにより、収納区画１６０内に装入されることが好ましい。図５において、スレッド２００は、固定ボックス１８０から区画１６０の開口に向かって水平に動かされて、折り畳まれた座部１９５が区画から現れ始める。ロッド２１０は、スレッド２００が区画１６０から離れて延びすぎないように、スレッド２００と固定ボックス１８０との接触を維持する（図１１参照）。スレッド２００は、底面に車輪またはローラを有してもよく、あるいは、区画１６０の底部の水平トラックに沿って滑らかに動いてもよい。図６において、客室乗務員用の座席は、収納区画１６０から完全に現れ、スレッド２００は、区画内に残り、ロッド２１０を介して固定ボックス１８０に接続されている。さらに、椅子１６１がスレッドの垂直リフト上で、機械、油圧、または手動により、持ち上げられる。座席は、座席の下側から引き出された、座席を水平位置に維持する、一対の安定化ロッド２２０によって支持される。
【００１０】
図７は、完全に延びて垂直位置にあり、座部１９５が座るのに快適な地面からの高さにある、椅子１６１を示す。好適な実施形態において、当該高さは、様々な乗務員に適応させるように調整可能である。背もたれ１９０及び座部１９５は、それぞれの対のヒンジに沿って回転して開き、従来の椅子構成に一致する完全に展開された状態で示されている。座部の上には、カバーまたは当て物（図示せず）が置かれて乗務員の快適さを付加するとともに、衣服または肌がヒンジや他の鋭い面に引っかかることを防止する。
【００１１】
図８は、固定ボックス１８０、スレッド２００及び客室乗務員用の座席を含む、区画１６０の外側の客室乗務員用の座席アセンブリ１６１を示す。ロッド２１０は、固定ボックス１８０をスレッド２００に接続し、安定化ロッド２２０は、アセンブリの座部１９５をスレッド２００に接続し、座部１９５の端を支持して、座部１９５に重みがかかった際に、高さ及び安全位置に維持されるようにする。延長可能コネクタロッド２３０もまた、固定ボックス１８０をスレッド２００に接続する（図１２参照）。図９において、スレッド２００は、「Ａ」字型トラス構造２４０と、椅子の背を取り付けるための略垂直カラム２５０であって、背もたれ１９０がボルトで留められる、または、別の方法で固定されることができる板２６０を備える略垂直カラム２５０とを備えて示される。図１０は、背もたれ１９０及び座部１９５を有する椅子を示す。背もたれ１９０は、中央カラム２７０、左カラム２７２及び右カラム２７４で形成される。左及び右カラム２７２、２７４は、垂直連続ヒンジ２７６または他のタイプのヒンジに沿って、中央カラム２７０に固定される。ヒンジは、中央カラム２７０の面に対して少なくとも９０度の回転を許容し、背もたれ１９０が小型の構成に「折り畳まれる」ことを可能にする。同様に、座部１９５は、中央パネル２８０、左パネル２８２及び右パネル２８４で形成される。左及び右パネル２８２、２８４は、水平連続ヒンジ２８６または他のタイプのヒンジに沿って中央パネル２８０に固定される。ヒンジ２８６は、中央パネル２８０の面に対して少なくとも９０度の回転を許容し、座部１９５が小型の構成に「折り畳まれる」ことを可能にする。
【００１２】
図１２は、固定ボックス１８０、スライド２００及び椅子１６１を含む客室乗務員用の座席アセンブリの側面図である。水平スライド３００は、スライド２００の底部に配置されてアセンブリが区画１６０の中及び外に移動することを可能にする。同様に、垂直スライド３１０は、椅子が床から、図７に示すような垂直に延びた位置に移動し、収納のために床位置に戻ることを可能にする。水平スライド３００は、浮出しラッチ３３０で構成され、最初の押し込みで、椅子アセンブリを収納位置に係止し、２回目の押し込みで、ラッチを解除し、椅子が水平に延びた位置に摺動可能にする。また、垂直スライドは、垂直スライド３１０及び椅子１６１が、プッシュボタンアクチュエータ３５０で開始される１回の押し込み動作で折り畳まれることを可能にするプッシュトゥクローズラッチ３４０を備えることができる。解除ケーブル３６０及びハンドル３６５は、垂直スライド３１０に接続されて、垂直スライド３１０から椅子１６１の係止を解除する。
【００１３】
小型の構成において、乗務員用の椅子は、区画１６０内に完全に入り込み、その後、離陸、着陸及び休憩時間などの必要な際に、引き出すことができる。スレッドにより、椅子の垂直調整が可能となり、様々な安定化部材により、確実に、強固で安全な座席となる。収納可能な乗務員用の座席を改善されたギャレー及び間取り図の他の特徴と組み合わせることにより、民間航空機に座席の列を追加することができ、各フライトにおける航空機の効率性及び利益性を著しく改善することができる。
【００１４】
本発明のこれら及び他の特徴及び効果は、上記記載及び図面を見ることで、当業者に明らかであろう。本発明の特定の形態を図示及び記載したが、本発明の要旨及び範囲を逸脱しない範囲で、本明細書に記載された実施形態に様々な変形及び代替が可能であることは、前述から明らかであろう。従って、本発明は、前述の記載及び図面に限定されるものではなく、それらの記載及び図面は、本発明の例示である。本発明の範囲は、当業者によって認識されるであろう、あらゆる変形及び代替を含むものである。
【図１】
0006042571.tif 000002
【図２】
0006042571.tif 000003
【図３】
0006042571.tif 000004
【図４】
0006042571.tif 000005
【図５】
0006042571.tif 000006
【図６】
0006042571.tif 000007
【図７】
0006042571.tif 000008
【図８】
0006042571.tif 000009
【図９】
0006042571.tif 000010
【図１０】
0006042571.tif 000011
【図１１】
0006042571.tif 000012
【図１２】
0006042571.tif 000013